(57)【要約】【課題】遮熱シートをコンテナハウスの屋根に簡単、確実に取り付けることのできる遮熱シートの取付構造を提供する。【解決手段】シート張設フレーム３０を架設する架設台部２２と、コンテナハウス１の屋根に固定される土台部２１とを備えた、板体を折曲してなる固定具２０を有した構造とされ、固定具２０の土台部２１はコンテナハウス１の屋根に固着され、その上に水切りカバー２が配設されるとともに、架設台部２２にはシート張設フレーム３０が架設され、そのシート張設フレーム３０で遮熱シート１０が固定される構造となっている。【選択図】図１
2012092594.tif 000002
【特許請求の範囲】
【請求項１】
コンテナハウスの屋根上にシート張設フレームを架設し、該シート張設フレームで遮熱シートを固定、張設した遮熱シートの取付構造であって、
上記シート張設フレームを架設する架設台部と、上記コンテナハウスの屋根に固定される土台部とを備えた、板体を折曲してなる固定具を有した構造とされ、
上記固定具の土台部は上記コンテナハウスの屋根に固着され、その上に水切りカバーが配設されるとともに、上記架設台部には上記シート張設フレームが架設され、該シート張設フレームで遮熱シートが固定される構造となっていることを特徴とする遮熱シートの取付構造。
【発明の詳細な説明】
【技術分野】
【０００１】
本発明は、コンテナハウスの屋根上に固定、張設される遮熱シートの取付構造に関する。
【背景技術】
【０００２】
この種のコンテナハウスは、作業現場の現場事務所やトランクルーム等に使用されるように、主に屋外に移動可能に設置される。また、その輸送はトレーラーによってなされる。
【０００３】
したがって、コンテナハウスは風雨に晒されやすく、振動も受けやすいため、耐震、耐風雨構造等、頑丈で風雨に強い構造に形成されている。
【０００４】
一方、移動を頻繁に行うという性質上、軽量かつシンプルですっきりとした形状、構造とすることが求められており、そのため一般住宅等で用いられる断熱材が使用されることはなく、そのままでは遮熱性はほとんどないものが通例である。
【０００５】
コンテナハウスの遮熱対策としては、種々の建築物の波形屋根（折板屋根）用に使用される遮熱シートをコンテナハウスの屋根上に後付けすることが想定できる。具体的には例えば、波形屋根の屋根材の端部を連結した連結山部において、屋根材連結のために上方に突出したボルト体またはハゼ部に対して固定具を取り付け、その固定具を介して屋根上にシート張設用の溝形フレームを架設し、その溝形フレームに遮熱シートを取り付けるようになっている（例えば、特許文献１参照）。
【先行技術文献】
【特許文献】
【０００６】
【特許文献１】特開２０１０−１１２００７号公報
【発明の概要】
【発明が解決しようとする課題】
【０００７】
しかしながら、コンテナハウスの屋根上にはボルト体やハゼ部が突出していないため固定具を取り付けることはできず、溝形フレームを架設することが困難である。よって、波形屋根用の遮熱シートの取付構造をそのままコンテナハウスの屋根に適用することはできない。
【０００８】
本発明は、このような事情を考慮して提案されたもので、その目的は、遮熱シートをコンテナハウスの屋根に簡単、確実に取り付けることのできる遮熱シートの取付構造を提供することにある。特に、従来使用していた溝形フレームを利用できるようにすることも目的に含まれる。
【課題を解決するための手段】
【０００９】
上記目的を達成するために、請求項１に記載の遮熱シートの取付構造は、コンテナハウスの屋根上にシート張設フレームを架設し、該シート張設フレームで遮熱シートを固定、張設した遮熱シートの取付構造であって、シート張設フレームを架設する架設台部と、コンテナハウスの屋根に固定される土台部とを備えた、板体を折曲してなる固定具を有した構造とされ、固定具の土台部はコンテナハウスの屋根に固着され、その上に水切りカバーが配設されるとともに、架設台部にはシート張設フレームが架設され、該シート張設フレームで遮熱シートが固定される構造となっていることを特徴とする。
【発明の効果】
【００１０】
請求項１に記載の遮熱シートの取付構造によれば、シート張設フレームを架設する架設台部と、コンテナハウスの屋根に固定される土台部とを備えた固定具を用いた構造であるため、シート張設フレームを確実に屋根上に架設することができ、その結果、遮熱シートをコンテナハウスに簡易に設置することができる。また、この固定具が板体を折曲して形成しているので、その製造も簡易に行える。
【００１１】
特に、シート張設フレームとして、従来、波形屋根の遮熱シートの取付構造として使用していた溝形フレームを用いれば、遮熱シートをより簡単、確実に取り付けることができる。また、従来品を使用すればコストの軽減にもつながる。
【００１２】
また、固定具の土台部はコンテナハウスの屋根に固着され、その上に水切りカバーが配設される構成となっているため、コンテナハウス内への水の浸入を確実に防止できる。
【図面の簡単な説明】
【００１３】
【図１】本発明の実施形態に係る遮熱シートの取付構造が採用されるコンテナハウスの要部正面図および一部拡大断面図である。
【図２】同取付構造に用いられる固定具の斜視図である。
【図３】同取付構造に用いられるシート張設フレームの分解斜視図である。
【図４】遮熱シートの取付状態を示すコンテナハウスの概略平面図である。
【図５】シート張設フレームの他例を示す分解斜視図である。
【発明を実施するための形態】
【００１４】
以下に、本発明の実施の形態について、添付図面を参照しながら説明する。
【００１５】
図１は、本発明の実施形態に係る遮熱シートの取付構造が採用されるコンテナハウスの要部正面図および一部拡大断面図である。図２は、同取付構造に用いられる固定具の斜視図である。図３は、同取付構造に用いられるシート張設フレームの分解斜視図である。図４は、遮熱シートの取付状態を示すコンテナハウスの概略平面図である。
【００１６】
本実施形態における遮熱シート１０の取付対象は、図１、図３に示すように作業現場の現場事務所やトランクルーム等に使用されるコンテナハウス１の屋根である。
【００１７】
このコンテナハウス１の骨組は、柱と梁とを接合してなり、屋根の両端部には大梁が配設され、その間に小梁が架設され、その上に屋根材が葺かれた構造となっている。図１に示すように、大梁は屋根面よりもやや突出して端部突出部１ａを構成している。
【００１８】
本実施形態の遮熱シートの取付構造は、遮熱シート１０が、屋根上に架設、固定したシート張設フレーム３０に固定、張設されるようになっており、そのシート張設フレーム３０を架設する架設台部２２と、コンテナハウス１の屋根に固定される土台部２１とを備えた、金属、合成樹脂等よりなる帯状の板体を折曲してなる固定具２０を有した構造となっている（図２参照）。図１に示すように、この固定具２０の土台部２１がコンテナハウス１の屋根面に固定されるようになっている。なお、土台部２１は屋根の端部外郭形状に合えばよく、よって倒Ｌ字形状には限定されない。
【００１９】
土台部２１は、屋根の端部突出部１ａの外郭形状に合致した倒Ｌ字状に形成され、架設台部２２は、土台部２１の垂直片２１ｂ下端より折曲連設され、載置片２２ａ、起立片２２ｂ、設置片２２ｃを含んでコ字状に形成されている。
【００２０】
固定具２０は、その土台部２１が端部突出部１ａに嵌合取り付けされ、端部突出部１ａに対して水平片２１ａでビス止めにて固着されて屋根に固定される。ビス止めされた水平片２１ａの上面にはビス止め部を覆うように水切りカバー２が載せ置かれ、その水切りカバー２の一端は隣接する架設台部２２の載置片２２ａ側に折り曲げられており、コンテナハウス１の外方に突出した他端はコンテナハウス１の側面に接するように折り曲げられて固定される。
【００２１】
そして、架設台部２２の設置片２２ｃにはシート張設フレーム３０がビスにて固定、架設され、そのシート張設フレーム３０に遮熱シート１０が固定されるようになっている。
【００２２】
この固定具２０は、図４に示すように、コンテナハウス１の両端において適所に取り付けられ、複数の固定具２０、２０・・・で長尺状のシート張設フレーム３０を支持する構成となっている。
【００２３】
一方、シート張設フレーム３０は、金属または硬質の合成樹脂（例えばＦＲＰ）より製された凹溝体よりなり、その溝部３１の開口端部には巻き込み成形した強化リップ部３４が形成されている。
【００２４】
このシート張設フレーム３０を用いて遮熱シート１０を張設、固定するために、本実施形態では、遮熱シート１０を波形屋根へ設置するために用いられる公知の溝形フレームを用いたシート張設構造を採用しており、シート張設フレーム３０の他に、シート張設フレーム３０と断面が同形状のインナーフレーム５１と、角部をアール成形した長方形状のストッパー５２と、長尺状の波形スプリング５３と、溝部３１の開口を塞ぐフレームカバー４０とを使用している。このフレームカバー４０の幅方向の両端には、遮熱シート１０を押さえる押さえ片４２、４２が形成されている。
【００２５】
一方、遮熱シート１０は、柔軟性、伸縮性を有するとともに、太陽熱、太陽光線等を反射する合成樹脂シートで構成されており、例えば本実施形態に示すように、太陽熱、太陽光線等を反射する、銀色等に着色した樹脂糸材を縦横に編んで形成した織物シートを好適に使用できる。
【００２６】
この遮熱シート１０は、屋根上に固定したシート張設フレーム３０に固定され、コンテナハウス１の両端に架設したシート張設フレーム３０、３０間に張設されるようになっている。本実施形態では、シート張設フレーム３０に直交する方向に帯状に長い遮熱シート１０が用いられている。なお、本実施形態で用いる遮熱シート１０は、図４に示すように、幅方向の両端を除く部分（クロスハッチングで示した部位）は縦横の樹脂糸材で編み込まれて目が詰まっているが、両端は樹脂糸材（横糸１０ａ）を縦糸１０ｂで固定しないようにしている（図４の１点鎖線で囲んだ拡大部分平面図参照）。つまり、この両端部位はボルトやビスの軸部を挿通させることができる挿通部１１を構成している。
【００２７】
ついで、シート張設フレーム３０を用いた遮熱シート１０の固定張設手順について説明する。
【００２８】
まず、シート張設フレーム３０の溝部３１内に、その底部３２（の内底面）との間に遮熱シート１０を挟み込むようにインナーフレーム５１を装着し、そのインナーフレーム５１の底面５１ａ上の適所にストッパー５２を嵌め入れて遮熱シート１０を固定する。このストッパー５２は、長辺がシート張設フレーム３０の溝部３１の幅寸法（内寸法）と同等もしくはそれよりもわずかに大きく、その長辺を溝の長手方向に向けて内底面に差し入れてから、中央溝５２ａをドライバー等で回転操作すれば溝部３１に圧嵌されるようになっている。このようにして、インナーフレーム５１は遮熱シート１０を挟んだ状態で溝部３１の側壁３３に押圧され、仮固定状態となる。
【００２９】
こうして遮熱シート１０を仮固定した後、さらに波形スプリング５３を、山部５３ａと谷部５３ｂが溝部３１の側壁３３を内側から押圧するように溝部３１内に装着する。波形スプリング５３は、その山部５３ａから谷部５３ｂまでの幅寸法（振幅の２倍）が溝部３１の底部３２の幅寸法（内寸法）よりも大きく形成されており、溝部３１に内装することで、弾性復帰力が作用して、さらにインナーフレーム５１を溝部３１の側壁３３側へ押圧する。
【００３０】
このように遮熱シート１０を溝部３１内側からの押圧によってシート張設フレーム３０に固定してから、フレームカバー４０を溝部３１の開口を隠すように被せて、ビスＳ（ドリルねじ等）でシート張設フレーム３０に固定する。
【００３１】
本実施形態では、シート張設フレーム３０はコンテナハウス１の両端に配設するようにして、遮熱シート１０の端部を固定する構成となっているから、遮熱シート１０の抜け防止対策を確実にする必要があるが、上記のように種々の部材を用いて遮熱シート１０をシート張設フレーム３０に対してしっかりと固定してあるので、遮熱シート１０が外れるおそれはない。
【００３２】
また、本実施形態では、上述したように、シート張設構造として公知のシート張設構造を採用しているが、図５に示すような他のシート張設構造を用いてもよい。
【００３３】
図５に示したシート張設フレーム３０を用いたシート張設構造は、インナーフレーム５１、ストッパー５２、波形スプリング５３（以上、図１、図３参照）は使用せず、フレームカバー４０の下面に設けた１組の嵌合片４１、４１を、遮熱シート１０を挟んだ状態でシート張設フレーム３０の溝部３１内に嵌め入れることで遮熱シート１０を固定できるようになっている。１組の嵌合片４１、４１は、溝部３１の開口に対して圧嵌できる寸法とすることが望ましい。なお、この嵌合片４１は中央部に空間を介して１組形成されているが、空間を設けずに一体の突出片としてもよい。例えば、この突出片のみを弾性体とし、２色成形にて形成してもよい。
【００３４】
また、シート張設フレーム３０と、フレームカバー４０とはボルトＢ、ナットＮによって固定できるようになっており、本図例では、ボルト頭を下に配するようにしており、シート張設フレーム３０の底部３２の下面に設けたボルト回り止め突片３６でボルトＢの回転を止めて、上方のナットＮを回して簡単に固定できるようになっている。
【００３５】
図５に示した構成によれば、インナーフレーム５１、ストッパー５２、波形スプリング５３等を用いず、シート張設フレーム３０と、フレームカバー４０とで遮熱シート１０を固定、張設できるようになっているので、より簡易に、より低コストで遮熱シート１０をコンテナハウス１に取り付けることができる。なお、インナーフレーム５１、ストッパー５２、波形スプリング５３の全て、あるいは一部を併用してもよい。
【００３６】
遮熱シート１０の固定、張設構造としては、上記２種のものに限られず、他の構造であってもよく、少なくともシート張設フレーム３０を用いたものであればどのような構造であってもよい。
【００３７】
以上に示した２種のシート張設フレーム３０（シート張設構造）の図例では、ビスＳまたはボルトＢ、ナットＮでシート張設フレーム３０とフレームカバー４０とを固定しているが、それらの軸部は遮熱シート１０の挿通部１１を通るようになっているので、ビス止め、ボルト止めで遮熱シート１０が破損するようなことはない。なお、ビス止めの場合は、ビスＳを挿通部１１以外の部位に挿通するようにしてもよい。
【００３８】
以上に示した遮熱シートの取付構造によれば、架設台部２２と、土台部２１とを備えた固定具２０を用いているため、土台部２１によって固定具２０を確実に屋根に固定でき、その固定具２０の架設台部２２の上にシート張設フレーム３０を配設する構成であるため、遮熱シート１０を簡易にかつ確実にコンテハウス１の屋根上に固定することができる。
【００３９】
特に、シート張設フレーム３０として、従来、波形屋根の遮熱シートの取付構造として使用していた溝形フレームを用いれば、より簡単、確実に取り付けることができる。従来品を使用するためコストの軽減にもつながる。
【００４０】
また、土台部２１の上には水切りカバー２が配設されるようになっているため、ビス止めによる固着部を介してコンテナハウス１の室内へ水が浸入することを防止できる。なお、上記実施形態では土台部２１を屋根にビス止めしているが、他の固着手段、例えば接着剤による固着であってもよい。
【符号の説明】
【００４１】
１      コンテナハウス
２      水切りカバー
１０      遮熱シート
１１      挿通部
２０      固定具
２１      土台部
２１ａ      水平片
２１ｂ      垂直片
２２      架設台部
２２ａ      載置片
２２ｂ      起立片
２２ｃ      設置片
３０      シート張設フレーム
３１      溝部
３２      底部
３３      側壁
３４      強化リップ部
３５      ボルト挿通孔
３６      ボルト回り止め突片
４０      フレームカバー
４１      嵌合片
４２      押さえ片
４３      ボルト挿通孔
５１      インナーフレーム
５１ａ      底面
５２      ストッパー
５２ａ      中央溝
５３      波形スプリング
【図１】
2012092594.tif 000003
【図２】
2012092594.tif 000004
【図３】
2012092594.tif 000005
【図４】
2012092594.tif 000006
【図５】
2012092594.tif 000007